【事件の表示】
　国際登録第７６００７９号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、別掲のとおりの構成よりなり、第７類、第９類及び第３７類に属する商品及び役務を指定商品及び指定役務として、２００１年（平成１３年）４月６日に国際登録されたものである。
　そして、指定商品及び指定役務については、平成１４年６月２６日付け手続補正書、及び２００４年５月６日国際登録簿に関する更正の通報があった結果、最終的に、第７類「Ｔｏｏｌｓ　ｆｏｒ　ｍａｃｈｉｎｉｎｇ　ｒａｉｌｗａｙ　ｗｈｅｅｌｓ，ｗｈｅｅｌ　ｓｅｔｓ，ｒｕｎｎｉｎｇ　ｇｅａｒ　ｆｏｒ　ｒａｉｌ　ｖｅｈｉｃｌｅｓ　ｏｒ　ｐａｒｔｓ　ｔｈｅｒｅｏｆ，ａｎｄ　ｆｏｒ　ｃｒａｎｋｓｈａｆｔｓ　ｏｒ　ｃｏｎｔｒｏｌ　ｓｈａｆｔｓ，ｆｌｙｗｈｅｅｌｓ，ｇｅａｒｗｈｅｅｌｓ　ｏｒ　ｇｅａｒ　ｒｉｍｓ　ｏｆ　ｐｉｓｔｏｎ　ｅｎｇｉｎｅｓ　ａｓ　ｗｅｌｌ　ａｓ　ｆｏｒ　ｍｏｔｏｒ　ｖｅｈｉｃｌｅ　ｗｈｅｅｌｓ　ｏｒ　ｐａｒｔｓ　ｔｈｅｒｅｏｆ，ｉｎ　ｐａｒｔｉｃｕｌａｒ　ｔｏｏｌｓ　ｆｏｒ　ｔｕｒｎｉｎｇ，ｍｉｌｌｉｎｇ，ｄｒｉｌｌｉｎｇ，ｂｒｏａｃｈｉｎｇ，ｇｒｉｎｄｉｎｇ，ｈｏｎｉｎｇ　ｏｒ　ｌａｐｐｉｎｇ　ｏｒ　ｃｏｍｂｉｎａｔｉｏｎｓ　ｔｈｅｒｅｏｆ，ａｓ　ｗｅｌｌ　ａｓ　ｔｏｏｌｓ　ｆｏｒ　ｐｌａｎｉｓｈｉｎｇ　ｒｏｌｌｉｎｇ，ｆｉｘｅｄ　ｒｏｌｌｉｎｇ　ａｎｄ　ｓｔｒａｉｇｈｔｅｎｉｎｇ　ｒｏｌｌｉｎｇ　ａｎｄ　ｃｏｍｂｉｎａｔｉｏｎｓ　ｔｈｅｒｅｏｆ，ａｎｄ　ｔｏｏｌｓ　ｆｏｒ　ｍａｃｈｉｎｉｎｇ　ｕｓｉｎｇ　ｌａｓｅｒ　ｒａｙｓ；ａｎｄ　ｍａｃｈｉｎｅ　ｔｏｏｌｓ，ｉｎ　ｐａｒｔｉｃｕｌａｒ　ｍａｃｈｉｎｅ　ｔｏｏｌｓ　ｆｏｒ　ｍａｃｈｉｎｉｎｇ　ｒａｉｌｗａｙ　ｗｈｅｅｌｓ，ｗｈｅｅｌ　ｓｅｔｓ，ｒｕｎｎｉｎｇ　ｇｅａｒ　ｆｏｒ　ｒａｉｌ　ｖｅｈｉｃｌｅｓ　ｏｒ　ｐａｒｔｓ　ｔｈｅｒｅｏｆ，ａｎｄ　ｆｏｒ　ｃｒａｎｋｓｈａｆｔｓ　ｏｒ　ｃｏｎｔｒｏｌ　ｓｈａｆｔｓ，ｆｌｙｗｈｅｅｌｓ，ｇｅａｒｗｈｅｅｌｓ　ｏｒ　ｒｉｍｓ　ｏｆ　ｐｉｓｔｏｎ　ｅｎｇｉｎｅｓ　ａｓ　ｗｅｌｌ　ａｓ　ｆｏｒ　ｍｏｔｏｒ　ｖｅｈｉｃｌｅ　ｗｈｅｅｌｓ　ｏｒ　ｐａｒｔｓ　ｔｈｅｒｅｏｆ；ｉｎ　ｐａｒｔｉｃｕｌａｒ　ｍａｃｈｉｎｅｓ　ｆｏｒ　ｔｕｒｎｉｎｇ，ｍｉｌｌｉｎｇ，ｂｒｏａｃｈｉｎｇ　ａｎｄ　ｃｏｍｂｉｎａｔｉｏｎｓ　ｏｆ　ｔｈｅｓｅ　ｍａｃｈｉｎｅｓ，ｇｒｉｎｄｉｎｇ　ｍａｃｈｉｎｅｓ　ａｎｄ　ｆｉｎｉｓｈ−ｇｒｉｎｄｉｎｇ　ｍａｃｈｉｎｅｓ　ｓｕｃｈ　ａｓ　ｈｏｎｉｎｇ　ｍａｃｈｉｎｅｓ　ａｎｄ　ｌａｐｐｉｎｇ　ｍａｃｈｉｎｅｓ；ｍａｃｈｉｎｅｓ　ｆｏｒ　ｐｌａｎｉｓｈｉｎｇ　ｒｏｌｌｉｎｇ，ｆｉｘｅｄ　ｒｏｌｌｉｎｇ，ｓｔｒａｉｇｈｔｅｎｉｎｇ　ｒｏｌｌｉｎｇ　ａｎｄ　ｃｏｍｂｉｎａｔｉｏｎｓ　ｏｆ　ｓｕｃｈ　ｍａｃｈｉｎｅｓ，ａｓ　ｗｅｌｌ　ａｓ　ｍａｃｈｉｎｅ　ｔｏｏｌｓ　ｆｏｒ　ｍａｃｈｉｎｉｎｇ　ｗｉｔｈ　ｌａｓｅｒ　ｒａｙｓ；ｍｅｔａｌｗｏｒｋｉｎｇ　ｍａｃｈｉｎｅｓ　ａｎｄ　ｔｏｏｌｓ；ｅｑｕｉｐｍｅｎｔ　ｆｏｒ　ｇｅｎｅｒａｔｉｎｇ　ａｎｄ　ｃｏｎｔｒｏｌｌｉｎｇ　ｈｙｄｒａｕｌｉｃ　ｏｒ　ｐｎｅｕｍａｔｉｃ　ｐｒｅｓｓｕｒｅ　ｍｅａｎｓ，ｉｎ　ｐａｒｔｉｃｕｌａｒ　ｐｕｍｐｓ，ｖａｌｖｅｓ，ｐｒｅｓｓｕｒｅ　ｌｉｎｅｓ；ｍａｃｈｉｎｅｒｙ　ａｎｄ　ｅｑｕｉｐｍｅｎｔ　ｆｏｒ　ｃｌｅａｎｉｎｇ，ｗａｓｈｉｎｇ，ｐｒｅｓｅｒｖｉｎｇ　ａｎｄ　ｃｏａｔｉｎｇ　ｗｈｅｅｌｓ　ｆｏｒ　ｍｏｔｏｒ　ｖｅｈｉｃｌｅｓ　ｏｒ　ｐａｒｔｓ　ｔｈｅｒｅｏｆ，ｏｒ　ｆｏｒ　ｃｒａｎｋｓｈａｆｔｓ　ｏｒ　ｃｏｎｔｒｏｌ　ｓｈａｆｔｓ，ｆｌｙｗｈｅｅｌｓ，ｇｅａｒｗｈｅｅｌｓ　ｏｒ　ｇｅａｒ　ｒｉｍｓ　ｏｆ　ｐｉｓｔｏｎ　ｅｎｇｉｎｅｓ，ｉｎ　ｐａｒｔｉｃｕｌａｒ　ｗａｓｈｉｎｇ　ｍａｃｈｉｎｅｓ，ｓｐｒａｙｉｎｇ　ｅｑｕｉｐｍｅｎｔ，ｉｍｍｅｒｓｉｏｎ　ｂａｔｈｓ，ｐｏｗｄｅｒ−ｃｏａｔｉｎｇ　ｅｑｕｉｐｍｅｎｔ，ｄｒｙｅｒｓ，ｕｓｉｎｇ　ｗａｔｅｒ，ｃｌｅａｎｉｎｇ　ｆｌｕｉｄｓ，ｐｒｅｓｅｒｖａｔｉｏｎ　ｓｏｌｕｔｉｏｎｓ，ｓｕｒｆａｃｅ　ｃｏａｔｉｎｇ　ｍａｔｅｒｉａｌｓ，ｅｉｔｈｅｒ　ｗｉｔｈ　ｏｒ　ｗｉｔｈｏｕｔ　ｐｒｅｓｓｕｒｅ．」、及び、第９類「Ｍｅａｓｕｒｉｎｇ　ａｎｄ　ｔｅｓｔｉｎｇ　ａｐｐａｒａｔｕｓ　ｆｏｒ　ｍｅａｓｕｒｉｎｇ　ａｎｄ　ｔｅｓｔｉｎｇ　ｓｕｒｆａｃｅｓ，ｓｈａｐｅｓ　ａｎｄ　ｔｈｅ　ｉｎｔｅｒｎａｌ　ｃｏｎｄｉｔｉｏｎ　ｏｆ　ｒａｉｌｗａｙ　ｗｈｅｅｌｓ，ｗｈｅｅｌ　ｓｅｔｓ，ｒｕｎｎｉｎｇ　ｇｅａｒ　ｆｏｒ　ｒａｉｌ　ｖｅｈｉｃｌｅｓ　ｏｒ　ｐａｒｔｓ　ｔｈｅｒｅｏｆ　ａｎｄ　ｏｆ　ｃｒａｎｋｓｈａｆｔｓ　ｏｒ　ｃｏｎｔｒｏｌ　ｓｈａｆｔｓ，ｆｌｙｗｈｅｅｌｓ，ｇｅａｒｗｈｅｅｌｓ　ｏｒ　ｇｅａｒ　ｒｉｍｓ　ｏｆ　ｐｉｓｔｏｎ　ｅｎｇｉｎｅｓ　ａｓ　ｗｅｌｌ　ａｓ　ｏｆ　ｍｏｔｏｒ　ｖｅｈｉｃｌｅ　ｗｈｅｅｌｓ　ｏｒ　ｐａｒｔｓ　ｔｈｅｒｅｏｆ，ｉｎ　ｐａｒｔｉｃｕｌａｒ　ｍａｃｈｉｎｅｒｙ　ａｎｄ　ｅｑｕｉｐｍｅｎｔ　ｗｉｔｈ　ｄｅｖｉｃｅｓ　ｆｏｒ　ｔｒａｎｓｍｉｔｔｉｎｇ　ａｎｄ　ｒｅｃｅｉｖｉｎｇ　ｌｉｇｈｔ　ｒａｙｓ，ｌａｓｅｒ　ｒａｙｓ，Ｘ−ｒａｙｓ，ｕｌｔｒａｓｏｕｎｄ，ｍａｇｎｅｔｉｃ　ｆｉｅｌｄｓ，ｆｏｒ　ｆｌｕｏｒｅｓｃｅｎｃｅ　ａｎａｌｙｓｉｓ，ｆｏｒ　ｍｅｃｈａｎｉｃａｌ　ｓｃａｎｎｉｎｇ；ｅｑｕｉｐｍｅｎｔ　ａｎｄ　ｄｅｖｉｃｅｓ　ｆｏｒ　ｄｅｔｅｃｔｉｏｎ／ｒｅｃｏｇｎｉｔｉｏｎ，ｔｅｓｔｉｎｇ　ａｎｄ　ｍｅａｓｕｒｉｎｇ　ｗｈｅｅｌｓ，ｂｒａｋｅ　ｄｉｓｋｓ，ｂｒａｋｅ　ｓｈｏｅｓ，ｗｈｅｅｌ　ｓｅｔｓ，ｒｕｎｎｉｎｇ　ｇｅａｒ，ｂｏｄｉｅｓ　ａｎｄ　ｓｕｐｅｒｓｔｒｕｃｔｕｒｅｓ，ｃｕｒｒｅｎｔ　ｃｏｌｌｅｃｔｏｒｓ　ｆｏｒ　ｒａｉｌ　ｖｅｈｉｃｌｅｓ，ｆｏｒ　ｗｈｅｅｌｓ　ｏｆ　ｍｏｔｏｒ　ｖｅｈｉｃｌｅｓ　ｏｒ　ｐａｒｔｓ　ｔｈｅｒｅｏｆ，ｅｉｔｈｅｒ　ｗｈｉｌｅ　ｓｔａｔｉｏｎａｒｙ　ｏｒ　ｗｈｉｌｅ　ｍｏｖｉｎｇ，ｆｏｒ　ｃｒａｎｋｓｈａｆｔｓ　ｏｒ　ｃｏｎｔｒｏｌ　ｓｈａｆｔｓ，ｆｌｙｗｈｅｅｌｓ，ｇｅａｒｗｈｅｅｌｓ　ｏｒ　ｇｅａｒ　ｒｉｍｓ　ｏｆ　ｐｉｓｔｏｎ　ｅｎｇｉｎｅｓ　ｏｒ　ｐａｒｔｓ　ｔｈｅｒｅｏｆ（ｉｎｃｌｕｄｅｄ　ｉｎ　ｔｈｉｓ　ｃｌａｓｓ）．」を指定商品とするものである。
２　原査定の理由
　原審において、「本願商標は、登録第２２０５９３８号，登録第２４８４２７３号及び登録第４３４９７８６号の各商標登録（以下、併せて「引用各商標」という。）と同一又は類似であって、その商標に係る指定商品と同一又は類似の商品について使用するものであるから、商標法第４条第１項第１１号に該当する」旨及び、「上記補正書により補正された指定商品においては、内容等が不明確なものを含む」旨認定、判断し、本願を拒絶したものである。
３　当審の判断
　本願商標の指定商品について、前記１のとおり手続補正書の提出及び国際登録の更正の通報があった結果、引用各商標の指定商品と同一又は類似の商品は全て削除され、互いに抵触しないものとなった。
　また、前記更正の通報及び表示の補正によって、本願商標の指定商品は、商標法第６条第１項の規定の要件を具備するものとなった。
　したがって、本願商標が商標法第４条第１項第１１号に該当し、また、本願商標が商標法第６条に規定の要件を具備しない、とする原査定の拒絶の理由は解消した。
　その他、政令で定める期間内に本願について拒絶の理由を発見しない。
　よって、結論のとおり審決する。